(57)【要約】      【課題】  デジタルＴＶ放送の受信状態が不安定な場合であってもユーザがＴＶ放送を快適に視聴することができる。      【解決手段】  サイマル方式のデジタルテレビジョン放送とアナログテレビジョン放送とを受信可能なものにおいて、デジタルテレビジョン放送の受信強度を検知する受信強度検知手段と、検知された受信強度が所定の閾値よりも低い場合に、出力される映像信号をデジタルテレビジョン放送のものに設定し、且つ、出力される音声信号をアナログテレビジョン放送のものに設定する出力信号設定手段とを備える。【選択図】      図２
2006261713.tif 000002
【特許請求の範囲】
【請求項１】
サイマル方式のデジタルテレビジョン放送とアナログテレビジョン放送とを受信可能なテレビジョン放送受信機において、
デジタルテレビジョン放送の受信強度を検知する受信強度検知手段と、
検知された受信強度が所定の閾値よりも低い場合に、出力される映像信号をデジタルテレビジョン放送のものに設定し、且つ、出力される音声信号をアナログテレビジョン放送のものに設定する出力信号設定手段と、を備えたこと、を特徴とするテレビジョン放送受信機。
【請求項２】
前記受信強度検知手段によって検知された受信強度が所定の閾値よりも低い場合に、デジタルテレビジョン放送の静止画を出力すること、を特徴とする請求項１に記載のテレビジョン放送受信機。
【請求項３】
前記静止画が、受信強度が所定の閾値以上のときに最後に生成されたフレームであること、を特徴とする請求項２に記載のテレビジョン放送受信機。
【請求項４】
前記受信強度検知手段によって検知された受信強度が所定の閾値よりも低い場合に、出力される映像信号をアナログテレビジョン放送のものにするか否かを設定する映像出力設定手段を更に備えたこと、を特徴とする請求項１から請求項３のいずれかに記載のテレビジョン放送受信機。
【請求項５】
移動体に備えられていること、を特徴とする請求項１から請求項４のいずれかに記載のテレビジョン放送受信機。
【請求項６】
サイマル方式のデジタルテレビジョン放送とアナログテレビジョン放送とを受信可能なテレビジョン放送受信機であって、デジタルテレビジョン放送の受信強度が所定の閾値よりも低い場合に出力信号をアナログテレビジョン放送のものに切り替えるテレビジョン放送受信機において、
デジタルテレビジョン放送の受信強度に拘わらず、出力される映像信号をデジタルテレビジョン放送のものに指定する映像信号指定手段を備えたこと、を特徴とするテレビジョン放送受信機。
【請求項７】
サイマル方式のデジタルテレビジョン放送とアナログテレビジョン放送とを受信するテレビジョン放送受信方法において、
デジタルテレビジョン放送の受信強度を検知する受信強度検知ステップと、
検知された受信強度が所定の閾値よりも低い場合に、出力される映像信号をデジタルテレビジョン放送のものに設定し、且つ、出力される音声信号をアナログテレビジョン放送のものに設定する出力信号設定ステップと、を含んだこと、を特徴とするテレビジョン放送受信方法。
【発明の詳細な説明】
【技術分野】
【０００１】
この発明は、サイマル方式のデジタルテレビジョン放送（以下、デジタルＴＶ放送と略記）とアナログテレビジョン放送（以下、アナログＴＶ放送と略記）とを受信可能なテレビジョン放送受信機及びテレビジョン放送受信方法に関する。
【背景技術】
【０００２】
近年、地上波のデジタルＴＶ放送が普及し始めている。しかしながらその普及には膨大な時間とコストを必要とし、現段階では一部の地域でしかデジタルＴＶ放送を視聴することができない。また、デジタルＴＶ放送を視聴できないＴＶのみを有するユーザも数多くいる。これらの事情を鑑みて、現在、デジタルＴＶ放送とアナログＴＶ放送とのサイマル放送（すなわちデジタル及びアナログの両方式で同一時間に同一コンテンツを放送すること）が実施されている。
【０００３】
上述したように地域によってデジタルＴＶ放送を受信できないところがある為、例えば車両に代表される移動体に搭載されたＴＶ放送用の受信機は、デジタルＴＶ放送とアナログＴＶ放送の両放送を受信できることが望ましい。この為、両放送を受信可能なテレビジョン放送受信機が種々提案され、実用に供されている（例えば特許文献１）。
【特許文献１】特開２００１−１２８０７８号公報
【発明の開示】
【発明が解決しようとする課題】
【０００４】
上記特許文献１に示されたようなテレビジョン放送受信機は、一般に、受信限界（ここではデジタルＴＶ放送の受信強度が低下してアナログＴＶ放送に切り替わるときの受信状態）まではノイズのない鮮明なデジタルＴＶ放送を出力する。そして受信限界に達すると、その出力をアナログＴＶ放送に切り替える。アナログＴＶ放送に切り替わったとき、その映像は、直前まで表示されていたデジタルＴＶ放送のものと比較して歪みの大きいものとなり易い。
【０００５】
ここで、車両は移動する為、そこに搭載された受信機の受信状況は刻々と変化する。特にデジタルＴＶ放送は、上述したように普及段階である為、地域により、その受信状況が不安定であり、或いは全く受信できなくなる。この為、デジタルＴＶ放送の受信が不安定な地域を移動しているときにデジタルＴＶ放送とアナログＴＶ放送とが頻繁に切り替わると、ＴＶ番組の視聴は継続できるが、デジタルＴＶ放送とアナログＴＶ放送との切り替わりによる映像の変化にユーザ（ここでいうユーザとは、例えば、車両停止中における運転手、或いは、助手席や後部座席に座っている同乗者）が違和感や不快感を覚えることが想定される。
【０００６】
そこで、本発明は上記の事情に鑑み、デジタルＴＶ放送の受信状態が不安定な場合であってもユーザがＴＶ放送を快適に視聴することができるテレビジョン放送受信機及びテレビジョン放送受信方法を提供することを目的とする。
【課題を解決するための手段】
【０００７】
上記の課題を解決する本発明の一態様に係るテレビジョン放送受信機は、サイマル方式のデジタルテレビジョン放送とアナログテレビジョン放送とを受信可能なものであり、デジタルテレビジョン放送の受信強度を検知する受信強度検知手段と、検知された受信強度が所定の閾値よりも低い場合に、出力される映像信号をデジタルテレビジョン放送のものに設定し、且つ、出力される音声信号をアナログテレビジョン放送のものに設定する出力信号設定手段とを備えたものである。
【０００８】
なお、上記テレビジョン放送受信機は、受信強度検知手段によって検知された受信強度が所定の閾値よりも低い場合に、デジタルテレビジョン放送の静止画を出力することができる。この静止画は、例えば受信強度が所定の閾値以上のときに最後に生成されたフレームであっても良い。
【０００９】
また、上記テレビジョン放送受信機は、受信強度検知手段によって検知された受信強度が所定の閾値よりも低い場合に、出力される映像信号をアナログテレビジョン放送のものにするか否かを設定する映像出力設定手段を更に備えたものであっても良い。
【００１０】
また、上記テレビジョン放送受信機は、移動体に備えられたものであっても良い。
【００１１】
また、上記の課題を解決する本発明の別の態様に係るテレビジョン放送受信機は、サイマル方式のデジタルテレビジョン放送とアナログテレビジョン放送とを受信可能なものであって、デジタルテレビジョン放送の受信強度が所定の閾値よりも低い場合に出力信号をアナログテレビジョン放送のものに切り替えるものであり、デジタルテレビジョン放送の受信強度に拘わらず、出力される映像信号をデジタルテレビジョン放送のものに指定する映像信号指定手段を備えている。
【００１２】
また、上記の課題を解決する本発明の一態様に係るテレビジョン放送受信方法は、サイマル方式のデジタルテレビジョン放送とアナログテレビジョン放送とを受信する方法であり、デジタルテレビジョン放送の受信強度を検知する受信強度検知ステップと、検知された受信強度が所定の閾値よりも低い場合に、出力される映像信号をデジタルテレビジョン放送のものに設定し、且つ、出力される音声信号をアナログテレビジョン放送のものに設定する出力信号設定ステップとを含んだ方法である。
【発明の効果】
【００１３】
本発明のテレビジョン放送受信機及びテレビジョン放送受信方法を採用すると、ユーザは、デジタルＴＶ放送の受信状態が不安定な場合であってもノイズを比較的含まない音声及びノイズのない映像でＴＶ番組を継続して視聴することができる。従って、ＴＶ放送を快適に視聴することができる。
【発明を実施するための最良の形態】
【００１４】
以下、図面を参照して、本発明の実施の形態のテレビジョン放送受信機の構成及び作用について説明する。
【００１５】
本発明の実施の形態のテレビジョン放送受信機は、例えば移動体である車両に搭載されており、ユーザに、デジタルＴＶ放送（ここでは地上波）の受信可／不可地域が混在する為に発生し得るデジタルＴＶ放送とアナログＴＶ放送（ここでは地上波）との切り替わりによる違和感や不快感を与えることなく、ＴＶ番組を快適に視聴させることができる装置である。
【００１６】
図１は、本実施形態のテレビジョン放送受信機１００の構成を示したブロック図である。本実施形態のテレビジョン放送受信機１００は、制御部１０、操作部１２、記憶部１４、ＴＶ番組を再生するモニタ４４及びスピーカ４８を備えている。
【００１７】
制御部１０は、テレビジョン放送受信機１００全体の制御を統括して行う。また、操作部１２は、テレビジョン放送受信機１００をユーザに操作させる為に設けられたものである。また、記憶部１４は、デジタルＴＶ放送のチャンネル情報とそれに対応したアナログＴＶ放送のチャンネル情報（ここでは、あるデジタルＴＶ放送と同一時間に同一番組を放送しているアナログＴＶ放送）とを関連付けて記憶しており、さらに、後述の処理によって生成される映像信号を一時的に格納することができる。
【００１８】
なお、ユーザは、操作部１２を操作することにより、例えば、視聴したいＴＶ放送チャンネルを選択したり、アナログＴＶ放送の映像が優先的に再生されるように設定したりすることができる。操作部１２が操作されるとその操作に応じた信号が制御部１０に入力される。これにより、制御部１０は、現在設定されているＴＶ放送のチャンネルなどを認識することができる。また、記憶部１４に記憶されたデジタルＴＶ放送のチャンネル情報とアナログＴＶ放送のチャンネル情報との関連付けは、操作部１２を操作することによってユーザが各自設定することもできる。
【００１９】
また、テレビジョン放送受信機１００は、デジタルＴＶ放送の映像・音声信号を生成する構成要素を備えている。この構成要素は、デジタル用アンテナ２２、デジタル用チューナ２４、ＯＦＤＭ（Orthogonal Frequency Division Multiplexing）部２６、及び、ＭＰＥＧ（Moving Picture Experts Group）部２８から成る。
【００２０】
デジタル用アンテナ２２は、デジタルＴＶ放送を受信してデジタル用チューナ２４に出力する。デジタル用チューナ２４は、デジタル用アンテナ２２が受信した信号の中から所定のチャンネルのデジタルＴＶ放送（例えば操作部１２の操作で設定されているチャンネル）を捕捉してＯＦＤＭ部２６に出力する。ＯＦＤＭ部２６は、デジタル信号を例えば数千のキャリアに分割し、各キャリア毎に位相を合わせて合成（例えば最大比合成）処理を行った上で復調してＭＰＥＧ部２８に出力する。ＭＰＥＧ部２８は、ＯＦＤＭ部２６から出力された信号を、デコードし、デジタルＴＶ放送の映像信号及び音声信号としてモニタ４４及びスピーカ４８に出力する。これにより、ユーザは、地上波のデジタルＴＶ放送を視聴することができる。なお、ＭＰＥＧ部２８で生成される映像信号は、例えばフレーム単位で記憶部１４に一時的に格納される。
【００２１】
また、テレビジョン放送受信機１００は、アナログＴＶ放送の映像・音声信号を生成する構成要素を備えている。この構成要素は、アナログ用アンテナ３２、アナログ用チューナ３４、及び、インターフェース３６から成る。
【００２２】
アナログ用アンテナ３２は、アナログＴＶ放送を受信してアナログ用チューナ３４に出力する。アナログ用チューナ３４は、アナログ用アンテナ３２が受信した信号の中から所定のチャンネルのアナログＴＶ放送の信号を捕捉してインターフェース３６に出力する。インターフェース３６は、アナログ用チューナ３４から出力された信号を、復調し、アナログＴＶ放送の映像信号及び音声信号としてモニタ４４及びスピーカ４８に出力する。これにより、ユーザは、地上波のアナログＴＶ放送を視聴することができる。
【００２３】
またさらに、テレビジョン放送受信機１００は、ＭＰＥＧ部２８又はインターフェース３６のいずれか一方からの映像信号をモニタ４４に選択的に出力する映像信号切替部４２を備えている。また、ＭＰＥＧ部２８又はインターフェース３６のいずれか一方からの音声信号をスピーカ４８に選択的に出力する音声信号切替部４６を備えている。制御部１０の制御によってこれらの切替部が切り替えられることにより、モニタ４４、スピーカ４８には、デジタルＴＶ放送又はアナログＴＶ放送のいずれか一方の映像信号、音声信号のみが選択的に出力される。
【００２４】
図２は、本実施形態のテレビジョン放送受信機１００の制御部１０が実行する処理であって、再生される映像及び音声をＴＶ放送の受信状況に応じて設定するＴＶ放送再生設定処理を示したフローチャートである。
【００２５】
なお、図２のフローチャートに示されたＴＶ放送再生設定処理は、テレビジョン放送受信機１００の電源（不図示）がオンされると開始され、電源がオフされると終了する。
【００２６】
テレビジョン放送受信機１００の電源がオンされると、制御部１０は、デジタル用チューナ２４を制御し、当該デジタル用チューナ２４に、デジタル用アンテナ２２が受信した周波数帯の中から現在設定されているデジタルＴＶ放送のチャンネルを捕捉させる（ステップ１、以下、ステップを「Ｓ」と略記）。
【００２７】
デジタルＴＶ放送の所定のチャンネルが捕捉されると、制御部１０は、当該チャンネルの受信強度を検知し、当該受信強度が所定の閾値以上か否かを判定する（Ｓ２）。なお、ここでいう所定の閾値とは、上述した受信限界における受信強度の値に相当するものである。受信強度が所定の閾値以上であると判定した場合（Ｓ２：ＹＥＳ）、制御部１０は、デジタルＴＶ放送の番組を鮮明に再生できると判断し、モード判定処理を行う（Ｓ３）。
【００２８】
また、受信強度が所定の閾値よりも低いと判定した場合（Ｓ２：ＮＯ）、制御部１０は、デジタルＴＶ放送を受信できない若しくは受信信号が微弱であると判断し、記憶部１４を参照して現在受信すべきデジタルＴＶ放送のチャンネルに対応したアナログＴＶ放送のチャンネルがあるか否かを判定する（Ｓ６）。
【００２９】
ここで、デジタルＴＶ放送には規格化された所定のモードが複数種類存在する。Ｓ３の処理では、受信されたデジタルＴＶ放送のキャリアの間隔や波形の長さを判定し、当該デジタルＴＶ放送が前記のモードに適合しているか否かを判断する。受信されたデジタルＴＶ放送が前記のモードに適合していると判定した場合（Ｓ３：ＹＥＳ）、制御部１０は、そのデジタルＴＶ放送に同期信号が含まれているか否かを判定する（Ｓ４）。また、受信されたデジタルＴＶ放送が前記のモードに適合していないと判定した場合（Ｓ３：ＮＯ）、制御部１０は、Ｓ６の処理に進む。
【００３０】
Ｓ４の処理においてデジタルＴＶ放送に同期信号が含まれていると判定した場合（Ｓ４：ＹＥＳ）、制御部１０は、当該デジタルＴＶ放送を再生させる為に、ＯＦＤＭ部２６及びＭＰＥＧ部２８を制御してその映像信号及び音声信号を生成する。さらに、映像信号切替部４２を制御してＭＰＥＧ部２８とモニタ４４とを接続し、且つ、音声信号切替部４６を制御してＭＰＥＧ部２８とスピーカ４８とを接続する（Ｓ５）。これにより、デジタルＴＶ放送の映像信号及び音声信号がＭＰＥＧ部２８からモニタ４４及びスピーカ４８に出力され、ユーザは、デジタルＴＶ放送の映像及び音声でＴＶ番組を視聴することができる。また、デジタルＴＶ放送に同期信号が含まれていないと判定した場合（Ｓ４：ＮＯ）、制御部１０は、Ｓ６の処理に進む。
【００３１】
Ｓ５の処理においてデジタルＴＶ放送が再生されると、制御部１０は、デジタルＴＶ放送の受信状況の変化に対応する為に所定時間待機し（Ｓ１０）、Ｓ２の処理に戻って受信強度判定処理を再び実行し、上述した一連の処理を繰り返す。
【００３２】
Ｓ６の処理において現在受信すべきデジタルＴＶ放送のチャンネルに対応したアナログＴＶ放送のチャンネルがないと判定した場合、（Ｓ６：ＮＯ）、制御部１０は、Ｓ５の処理に進み、デジタルＴＶ放送の受信強度が所定の閾値よりも高くなったときを想定し、デジタルＴＶ放送が再生されるように各要素を制御する。このとき、モニタ４４には最後に生成されたデジタルＴＶ放送の映像信号から成るフレーム（すなわち静止画であり、記憶部１４に最後に格納されたフレーム）が表示され、スピーカ４８には無音が出力される（すなわち音声は出力されない）。ただし、Ｓ６の処理を経てＳ５の処理を実行している間にデジタルＴＶ放送の受信強度が所定の閾値よりも高くなった場合には、モニタ４４及びスピーカ４８からデジタルＴＶ放送の映像及び音声が出力される。
【００３３】
Ｓ６の処理において現在受信すべきデジタルＴＶ放送のチャンネルに対応したアナログＴＶ放送のチャンネルがあると判定した場合、（Ｓ６：ＹＥＳ）、制御部１０は、デジタルＴＶ放送の映像・音声信号を生成する構成要素を上述したように制御してデジタルＴＶ放送を再生可能な状態にすると共に、アナログＴＶ放送の映像・音声信号を生成する構成要素を制御してアナログＴＶ放送を再生可能な状態にする。
【００３４】
アナログＴＶ放送に対する処理を具体的に説明すると、制御部１０は、先ず、アナログ用チューナ３４を制御し、当該アナログ用チューナ３４に、アナログ用アンテナ３２が受信した周波数帯の中から現在設定されているアナログＴＶ放送のチャンネルを捕捉させる。そしてインターフェース３６を制御してその映像信号及び音声信号を生成する。これにより、アナログＴＶ放送が再生可能な状態となる。各ＴＶ放送を再生可能な状態にすると、制御部１０は、操作部１２からの入力信号に基づいて、アナログＴＶ放送の映像が優先的に再生されるように設定されているかを判定する（Ｓ７）。
【００３５】
Ｓ７の処理においてアナログＴＶ放送の映像が優先的に再生されるように設定されていないと判定した場合（Ｓ７：ＮＯ）、制御部１０は、デジタルＴＶ放送の映像及びアナログＴＶ放送の音声を再生させる為に、映像信号切替部４２を制御してＭＰＥＧ部２８とモニタ４４とを接続し、且つ、音声信号切替部４６を制御してインターフェース３６とスピーカ４８とを接続する（Ｓ８）。これにより、デジタルＴＶ放送の映像信号及びアナログＴＶ放送の音声信号がＭＰＥＧ部２８及びインターフェース３６からモニタ４４及びスピーカ４８に出力され、ユーザは、デジタルＴＶ放送の映像及びアナログＴＶ放送の音声でＴＶ番組を視聴することができる。
【００３６】
アナログＴＶ放送は、音声に関しては、受信強度が低く（例えばデジタルＴＶ放送の受信限界に相当する強度）映像が乱れるような環境下であっても比較的安定して受信される特性を有する。このような特性の為、Ｓ８の処理においてデジタルＴＶ放送の音声からアナログＴＶ放送の音声に切り替わっても、信号の劣化が比較的少ない為、ユーザが違和感や不快感を比較的覚えないことが想定される。
【００３７】
また、デジタルＴＶ放送が受信限界に達したとき、そのノイズが多く波形が乱れている。この為、受信機側で正確な映像信号及び音声信号を生成することができず、上述したように、モニタ４４には最後に生成されたフレームが静止画として表示され、スピーカ４８からは音声が出力されない。
【００３８】
ここで、従来の如く、受信限界到達時にアナログＴＶ放送の映像に切り替えてしまうと、表示される映像が、ノイズを実質的に含まないデジタル映像（最後の静止画もノイズを含まない）からノイズを多く含むアナログ映像になる。この為、後に表示されるアナログ映像は、そのノイズが強調されるような状態でユーザに提示されてしまう。従って、ユーザが、画面が大きく歪んだように知覚し、違和感や不快感を覚えることが想定される。
【００３９】
Ｓ８の処理では、これらの事を考慮して、上述したように、音声に関しては信号劣化が少なく番組の内容を比較的正確に再生できるアナログＴＶ放送の信号を採用し、映像に関してはノイズを実質的に含まないデジタルＴＶ放送のものを継続して採用している。これにより、ユーザは、ノイズを比較的含まない音声及びノイズのない映像でＴＶ番組を継続して視聴することができる為、違和感や不快感を比較的覚えない。
【００４０】
また、Ｓ７の処理においてアナログＴＶ放送の映像が優先的に再生されるように設定されていると判定した場合（Ｓ７：ＹＥＳ）、制御部１０は、当該アナログＴＶ放送の映像及び音声を再生させる為に、映像信号切替部４２を制御してインターフェース３６とモニタ４４とを接続し、且つ、音声信号切替部４６を制御してインターフェース３６とスピーカ４８とを接続する（Ｓ９）。これにより、アナログＴＶ放送の映像信号及び音声信号がインターフェース３６からモニタ４４及びスピーカ４８に出力され、ユーザは、アナログＴＶ放送の映像及び音声でＴＶ番組を視聴することができる。
【００４１】
Ｓ７のアナログＴＶ放送の映像の優先的な再生処理を付与することにより、デジタルＴＶ放送を正確に受信できないときにおける映像出力を、ノイズを実質的に含まないデジタルＴＶ放送の静止画とするか、或いは、ノイズを含むが動画であるアナログＴＶ放送のものにするかを、ユーザが、好みに応じて設定することができる。
【００４２】
なお、Ｓ８及びＳ９の処理を実行後、制御部１０は、所定時間待機し（Ｓ１０）、Ｓ２の処理に戻って受信強度判定処理を再び実行し、上述した一連の処理を繰り返す。
【００４３】
以上が本発明の実施形態である。本発明はこれらの実施形態に限定されるものではなく様々な範囲で変形が可能である。
【００４４】
なお、本実施形態のテレビジョン放送受信機は車載されたものであるが、別の実施例では人が携帯するような機器であっても良い。
【図面の簡単な説明】
【００４５】
【図１】本発明の実施の形態のテレビジョン放送受信機の構成を示したブロック図である。
【図２】本発明の実施の形態のテレビジョン放送受信機の制御部が実行する処理であって、再生される映像及び音声をＴＶ放送の受信状況に応じて設定するＴＶ放送再生設定処理を示したフローチャートである。
【符号の説明】
【００４６】
１０  制御部
２２  デジタル用アンテナ
２４  デジタル用チューナ
２６  ＯＦＤＭ部
２８  ＭＰＥＧ部
３２  アナログ用アンテナ
３４  アナログ用チューナ
３６  インターフェース
４２  映像信号切替部
４４  モニタ
４６  音声信号切替部
４８  スピーカ
１００  テレビジョン放送受信機
【図１】
2006261713.tif 000003
【図２】
2006261713.tif 000004